(57)【要約】      （修正有）【課題】マウスなどの比較的小さい実験用動物を保持し、容易に耳介に対して入墨することができる小動物用保定器を提供する。【解決手段】小動物を保持する保定器であって、この保定器を構成する筒体２が、この筒体２の軸心に沿った平面２１ａを内周に有し、前方に向けて前記筒体２の内面が縮減すると共に、保定状態にある被保定動物５の耳介を、外部へ突出可能な左右一対の作業孔２５を備えたことを特徴とする。【選択図】図５
0003184937.tif 000002
【実用新案登録請求の範囲】
【請求項１】
小動物を保持する保定器であって、
この保定器を構成する筒体が、この筒体の軸心に沿った平面を内周に有し、
前方に向けて前記筒体の内面が縮減すると共に、
保定状態にある被保定動物の耳介を、外部へ突出可能な左右一対の作業孔を備えた小動物用保定器。
【請求項２】
前記筒体の内面が、後方に向けて拡大する請求項１に記載の小動物用保定器。
【請求項３】
前記筒体の後部に、被保定動物の後方への動作を規制する規制板を挿入するための規制溝を二以上設けた請求項１又は請求項２に記載の小動物用保定器。
【請求項４】
前記筒体の前端部に、被保定動物が呼吸可能な空気孔を設けた請求項１から請求項３のいずれか１項に記載の小動物用保定器。
【請求項５】
前記筒体が、透明である請求項１から請求項４のいずれか１項に記載の小動物用保定器。
【考案の詳細な説明】
【技術分野】
【０００１】
本考案は、マウスなどの比較的小さい実験用動物を保持するための保定器に関するものである。
【背景技術】
【０００２】
実験用動物であるマウス等に入墨や注射をする際には、マウスの姿勢を一定に保持する必要がある。マウスは比較的小さい動物であるので、片手でマウスを保持し、もう一方の手で耳介に入墨等を行うことも可能である。また特許文献１の図１には、実験用動物であるマウスの尾に注射を行う場合の保定器が開示されている。この開示された保定器は、マウスが保定器を構成する筒体の軸心周りの回転を防止するほか、マウスの尾をより強固に固定する構成を採用し、尾に対して比較的容易に注射をすることが可能である。
【先行技術文献】
【特許文献】
【０００３】
【特許文献１】特開平８−４７５０２号公報
【考案の概要】
【考案が解決しようとする課題】
【０００４】
しかし、手でマウスを保持した場合、入墨や注射を行う対象である耳介や尾を動かないように保持することが難しく、作業に時間がかかるという問題がある。いわゆるカルタヘナ法（遺伝子組換え生物等の使用等の規制による生物の多様性の確保に関する法律）の施行後、特に遺伝子改変マウスについては個体識別が必須となった。現在、小動物の個体識別には耳パンチ法、色素塗布法、マイクロチップ法などが一般的であるが、いずれも一長一短がある。耳に入墨する方法は長期間、明瞭に個体識別することが可能であるが、入墨作業は時間がかかるという問題がある。また特許文献１に記載の保定器は、尾を固定することはできるものの、耳介に対しては外部からアクセスできず、耳介に対して入墨することができない。よって、これらの問題を解決した保定器を提供することが、本考案が解決しようとする課題である。
【課題を解決するための手段】
【０００５】
本考案は、上記課題を解決すべく次のような技術的手段を講じた。
すなわち、請求項１記載の考案は、小動物を保持する保定器であって、この保定器を構成する筒体２が、この筒体２の軸心に沿った平面２１ａを内周に有し、前方に向けて前記筒体２の内面が縮減すると共に、保定状態にある被保定動物５の耳介を、外部へ突出可能な左右一対の作業孔２５を備えた小動物用保定器である。
【０００６】
また、請求項２記載の考案は、前記筒体２の内面が、後方に向けて拡大する請求項１に記載の小動物用保定器である。
【０００７】
また、請求項３記載の考案は、前記筒体２の後部に、被保定動物５の後方への動作を規制する規制板３を挿入するための規制溝２６を二以上設けた請求項１又は請求項２に記載の小動物用保定器である。
【０００８】
また、請求項４記載の考案は、前記筒体２の前端部に、被保定動物５が呼吸可能な空気孔２３を設けた請求項１から請求項３のいずれか１項に記載の小動物用保定器である。
【０００９】
また、請求項５記載の考案は、前記筒体２が、透明である請求項１から請求項４のいずれか１項に記載の小動物用保定器である。
【考案の効果】
【００１０】
請求項１記載の考案によれば、保定状態にある被保定動物５の耳介を、保定器の外部に突出することができる作業孔２５を備えることにより、被保定動物５を保持しながら容易に耳介に対して入墨などの作業を行うことができ、作業の効率化を図ることができる。また、作業時間を短縮でき、被保定動物５のストレスを低減することができる。
【００１１】
また、作業孔２５が左右一対であることにより、作業孔２５を左右の耳介に対応するように小さくすることができ、その孔から被保定動物５が顔を出すことを防止でき、姿勢の保持が容易となる。
【００１２】
請求項２記載の考案によれば、請求項１記載の考案の効果に加えて、筒体２の内面が、後方に向けて拡大することにより、保定器の後方から被保定動物５を容易に入れることができる。この点でも作業の効率化を図ることができる。
【００１３】
請求項３記載の考案によれば、請求項１又は請求項２に記載の考案の効果に加えて、筒体２の後部に、被保定動物５の後方への動作を規制する規制板３を挿入するための規制溝２６を設けたことにより、入墨や注射などの作業の際、被保定動物５を拘束することができる。これにより入墨などの作業の効率化を更に図ることができる。
【００１４】
また規制溝２６を二以上設けたことにより、被保定動物５の大きさに合わせて拘束することが可能となるので、より適切に被保定動物５の動作を規制できる。
【００１５】
請求項４記載の考案によれば、請求項１から請求項３のいずれか１項に記載の考案の効果に加えて、筒体２の前端部に、被保定動物５が呼吸可能な空気孔２３を設けたことにより、被保定動物５が保定時に窒息することを防止できる。
【００１６】
請求項５記載の考案によれば、請求項１から請求項４のいずれか１項に記載の考案の効果に加えて、前記筒体２が透明であることにより、保定時の被保定動物５の状態を把握することができ、保定時に被保定動物５を傷つけることを防止できる。
【図面の簡単な説明】
【００１７】
【図１】本考案の第一実施形態にかかる小動物用保定器の正面図である。
【図２】図１の小動物用保定器の本体の正面方向の断面図である。
【図３】図１の小動物用保定器の本体の後方からの側面図である。
【図４】図１の小動物用保定器の規制板の説明図である。
【図５】図１の小動物用保定器の使用状態の説明図である。
【００１８】
本考案の実施の形態について以下図面と共に説明する。
図１には、本考案の第一実施形態にかかる小動物用保定器の正面図を、図２には図１の小動物用保定器の本体の正面方向からの断面図を、図３には後方からの側面図を示す。本稿では、保定器に被保定動物５を保持した状態で、被保定動物５を基準として前後左右上下と称する。図１上では、紙面に向かって右側が前、左側が後、上側が上、下側が下となる。
【００１９】
本考案の第一実施形態にかかる小動物用保定器は、マウスやラットなど薬の効能等を確認する実験用小動物の姿勢を保持する保定器であり、実験用小動物が収容される筒体２と、実験用小動物の後方への動作を規制する規制板３と、筒体２の下方に設けるベース４と、により構成する。筒体２は、実験用小動物の腹部側、即ち下側の下平板２１と、背部側、即ち上側の上円筒板２２とにより構成し、これらを透明なアクリル製とし熱溶着で固定する。下平板２１の上側の平面２１ａは筒体２の軸心に沿う平面であり、軸心に沿うとは軸心と平行な平面に限定されず、平面に並んで配置されればよい。
【００２０】
上円筒板２２の内面側の上円筒面２２ａと、下平板２１の内面側の平面２１ａとにより形成される筒体２の内面は、前方、即ち図１及び図２の右側に向けてなだらかに縮減するようにすると共に、後方、即ち図１及び図２の左側に向けてなだらかに拡大するようにする。
【００２１】
筒体２の前端、即ち図１及び図２での上円筒板２２の右端には、上円筒板２２と下平板２１とによる一つの空気孔２３を設け、被保定動物５を収容したときに被保定動物５が呼吸できるようにする。本実施形態で、空気孔２３は一つとしたが、これに限定されるものではなく、端部が閉じられた筒状体の端面に複数の小さな空気孔２３を有する構成とすることもできる。
【００２２】
筒体２を構成する上円筒板２２の前部に、被保定動物５の耳介を外部へ突出させるための作業孔２５を設ける。作業孔２５は被保定動物５の左右の耳介に対応する位置に左右一対になるように設ける。この作業孔２５は、左右の耳介の両方を突出させることができる大きさの孔を一つ設け、この孔の左右中央に前後枠を配置して左右の耳介をそれぞれ突出できるようにしたものを含む。
【００２３】
筒体２の後部には、規制板３を挿入するための規制溝２６を二以上設ける。本実施形態においては二つの規制溝２６を設けている。後側に位置する第一規制溝２６ａは、比較的体長の大きい小動物を対象とし、前側に位置する第二規制溝２６ｂは、比較的体長の小さい小動物を対象とする。規制溝２６の幅は規制板３よりも０．１ｍｍ程度広い幅とし、規制板３が抵抗なく挿入できると共に、被保定動物５の後ろ足で蹴られた場合でも規制溝２６の間で大きく動くことがないようにする。本実施形態では、規制板３が前方に傾斜するように斜めに規制溝２６を設けたが、これに限定されるものではなく、規制板３が鉛直になるように規制溝２６を設けることも可能である。
【００２４】
図４には、本考案の第一実施形態にかかる小動物用保定器を構成する規制板３を示す。図４（ａ）は規制板３の正面図、図４（ｂ）は側面図である。規制板３は透明なアクリル製で、厚さが５ｍｍである。規制板３の幅、即ち図４（ａ）上で左右長さは、筒体２の規制溝２６を設けた位置での内面の左右幅よりも小さくする。本実施形態では後側に位置する第一規制溝２６ａの筒体２の内側の面の左右幅より小さい。また規制板３の下側には被保定動物５の尾を外部に出すための切欠き３１を設ける。
【００２５】
筒体２が保定状態にある被保定動物５の耳介を、保定器の外部に突出することができる作業孔２５を備えることにより、被保定動物５を保持しながら容易に耳介に対して入墨などの作業を行うことができ、作業の効率化を図ることができる。また、作業時間を短縮でき、被保定動物５のストレスを低減することができる。
【００２６】
また、作業孔２５が左右一対であることにより、作業孔２５を左右の耳介に対応するように小さくすることができ、その作業孔２５から被保定動物５が顔を出すことを防止でき、姿勢の保持が容易となる。
【００２７】
筒体２の内面が、後方に向けて拡大することにより、保定器の後方から被保定動物５を容易に入れることができる。この点でも作業の効率化を図ることができる。
【００２８】
筒体２の後部に、被保定動物５の後方への動作を規制する規制板３を挿入するための規制溝２６を設けたことにより、入墨や注射などの作業の際、被保定動物を拘束することができる。これにより入墨などの作業の効率化を更に図ることができる。
【００２９】
また規制溝２６を二以上設けたことにより、被保定動物５の大きさに合わせて拘束することが可能となるので、より適切に被保定動物５の動作を規制できる。
【００３０】
筒体２の前端部に、被保定動物５が呼吸可能な空気孔２３を設けたことにより、被保定動物５が保定時に窒息することを防止できる。
【００３１】
筒体２が透明であることにより、保定時の被保定動物５の状態を把握することができ、保定時に被保定動物５を傷つけることを防止できる。
【００３２】
図５を用いて、本考案の第一実施形態にかかる小動物用保定器の使用方法を説明する。まず規制溝２６から規制板３を取り外した状態で、被保定動物５であるマウスを後側の挿入孔２４から前向き、即ち図５の右側に向けて押し込む。筒体２の内面は前方に向けてなだらかに縮減するように構成しているので、被保定動物５の頭部が前向きに筒体２の前方に収容される。このとき筒体２の下の面が平面２１ａであるので、被保定動物５は、筒体２の軸心周りに回転することができない。また、作業孔２５が左右一対であるので、この作業孔２５から頭部を外部に出すことができない。保定器の使用者は、被保定動物５を後側の挿入孔２４から押しながら、被保定動物５の体長に合わせて規制溝２６に規制板３を差し込み、被保定動物５の動作を拘束する。規制板３を差し込む際は、規制板３の切欠き３１に被保定動物５の尾が通過するようにする。規制板３を差し込んだ状態で、保定器の使用者は、被保定動物５の耳介を外部へ突出させる。被保定動物５が筒体２の軸心周りに回転することがないので、使用者は容易に作業孔２５から被保定動物５の耳介を出すことができる。耳介を外部へ突出させた状態で、使用者は入墨器を用いて被保定動物５の耳介に入墨を行う。また、外部に出た尾に対して容易に注射をすることなどが可能である。入墨などの作業を行った後は、規制板３を規制溝２６から取り除き被保定動物５を開放する。
【符号の説明】
【００３３】
１  小動物用保定器
２  筒体
３  規制板
４  ベース
５  被保定動物
２１  下平板
２１ａ  平面
２２  上円筒板
２２ａ  上円筒面
２３  空気孔
２４  挿入孔
２５  作業孔
２５Ｒ  右作業孔
２５Ｌ  左作業孔
２６  規制溝
２６ａ  第一規制溝
２６ｂ  第二規制溝
３１  切欠き
【図１】
0003184937.tif 000003
【図２】
0003184937.tif 000004
【図３】
0003184937.tif 000005
【図４】
0003184937.tif 000006
【図５】
0003184937.tif 000007